(57)【特許請求の範囲】
【請求項１】
高層住宅に配管されている排水管を洗浄する高層住宅の排水管の洗浄方法であって、
前記排水管の洗浄用の案内管が、前記高層住宅の下層階から上層階まで延びるように配管され、
前記案内管が、
加圧状態の洗浄水を充填する構成とせずに、洗浄水を加圧して供給可能な水供給源に接続されて前記洗浄水を吐出可能な洗浄ホースを、挿通させる構成とするとともに、
前記高層住宅の複数の階に、開閉操作可能として、前記案内管内に挿通させている前記洗浄ホースを取出可能な取出口を設け、かつ、前記高層住宅の最下層付近に、前記洗浄ホースを前記案内管内に挿入可能な取入口を設けて、構成され、
前記洗浄ホースを、前記取入口付近に、配置させておき、
洗浄作業時、前記洗浄ホースの元部端を、前記水供給源に接続し、かつ、前記洗浄ホースの先端側を、前記取入口から前記案内管内に挿入させて引き上げるとともに、開口させた前記取出口から取り出して、前記洗浄ホースの先端に設けた洗浄ノズルから、前記水供給源からの洗浄水を噴射させて、前記排水管を洗浄することを特徴とする高層住宅の排水管の洗浄方法。
【請求項２】
前記案内管の上端付近に、開閉操作可能として、前記洗浄ホースの引き上げ時に使用する牽引装置のワイヤを前記案内管内に挿入可能な引上用開口が、配設されていることを特徴とする請求項１に記載の高層住宅の排水管の洗浄方法。
【請求項３】
前記案内管が、前記高層住宅に複数並設されていることを特徴とする請求項１若しくは請求項２に記載の高層住宅の排水管の洗浄方法。
【請求項４】
前記案内管が、内部に溜まった水を排出可能なドレン用開口を備えて構成されていることを特徴とする請求項１乃至請求項３のいずれか１項に記載の高層住宅の排水管の洗浄方法。
【請求項５】
前記取出口が、前記高層住宅の各階に配設されていることを特徴とする請求項１乃至請求項４のいずれか１項に記載の高層住宅の排水管の洗浄方法。
【請求項６】
前記案内管が、前記高層住宅の屋外側に、配設されるとともに、前記高層住宅の外壁部位に、前記各取出口に対応して前記洗浄ホースの先端側を前記高層住宅内に取り込み可能な取込用開口が、配設されていることを特徴とする請求項１乃至請求項５のいずれか１項に記載の排水管の洗浄方法。
【発明の詳細な説明】
【技術分野】
【０００１】
本発明は、高層住宅の排水管の洗浄方法に関する。
【背景技術】
【０００２】
従来、高層住宅の排水管の洗浄方法では、排水管の洗浄用の立て管を、高層住宅の下層階から上層階まで延びるように配管させて、洗浄する方法が知られている（例えば、特許文献１参照）。この洗浄用立て管には、下端側に、洗浄水を洗浄用立て管内に取入可能に、洗浄水を供給可能なポンプ車と接続可能な取入口が、配設されていた。また、洗浄用立て管における高層住宅の複数の階には、洗浄水を噴射可能な洗浄ノズルを先端に設けた洗浄ホースと接続可能として、開閉操作可能な取出口が、配設されていた。そして、洗浄作業時には、取入口にポンプ車を接続させて、ポンプ車から加圧状態の洗浄水を洗浄用立て管内に充填させるとともに、排水管を洗浄する洗浄階の取出口に、若しくは、その洗浄階近傍の階の取出口に、洗浄ホースを接続させて、洗浄ホースを接続させた取出口だけを開口させ、かつ、他の取出口を閉じて、開口された取出口と洗浄ホースとを経て洗浄ノズルから噴射される洗浄水により、排水管を洗浄していた。
【先行技術文献】
【特許文献】
【０００３】
【特許文献１】特開２００６−２４９９１８号公報
【発明の概要】
【発明が解決しようとする課題】
【０００４】
しかし、従来の洗浄方法では、洗浄用立て管内に１５〜３０ＭＰａの加圧状態として洗浄水を充填させる必要があり、立て管自体、特に、立て管相互を接続する継手部分に、耐圧性が要求され、耐久性を考慮すれば、使用する洗浄用立て管や継手の選定が難しく、さらに、メンテナンスを考慮すると、より簡便に実施する点に、改善の余地があった。
【０００５】
本発明は、上述の課題を解決するものであり、簡便に行えて、メンテナンスも容易な高層住宅の排水管の洗浄方法を提供することを目的とする。
【課題を解決するための手段】
【０００６】
本発明に係る洗浄方法は、高層住宅に配管されている排水管を洗浄する高層住宅の排水管の洗浄方法であって、
排水管の洗浄用の案内管が、高層住宅の下層階から上層階まで延びるように配管され、
案内管が、
加圧状態の洗浄水を充填する構成とせずに、洗浄水を加圧して供給可能な水供給源に接続されて洗浄水を吐出可能な洗浄ホースを、挿通させる構成とするとともに、
高層住宅の複数の階に、開閉操作可能として、案内管内に挿通させている洗浄ホースを取出可能な取出口を設け、かつ、高層住宅の最下層付近に、洗浄ホースを案内管内に挿入可能な取入口を設けて、構成され、
洗浄ホースを、取入口付近に、配置させておき、
洗浄作業時、洗浄ホースの元部端を、水供給源に接続し、かつ、洗浄ホースの先端側を、取入口から案内管内に挿入させて引き上げるとともに、開口させた取出口から取り出して、洗浄ホースの先端に設けた洗浄ノズルから、水供給源からの洗浄水を噴射させて、排水管を洗浄することを特徴とする。
【０００７】
本発明に係る洗浄方法では、洗浄作業時、排水管を洗浄しようとする洗浄階において、その洗浄階に案内管の取出口が配置されていればその取出口を開口させ、あるいは、その洗浄階に案内管の取出口がなければ、その洗浄階近傍の案内管の取出口を開口させておく。と同時に、取入口付近に配置させた洗浄ホースの元部端を、水供給源に接続させる。また、取入口付近に配置させた洗浄ホースの先端側を、開口させた取入口から案内管内に挿入させて引き上げる。ついで、開口させた取出口から洗浄ホースの先端側を取り出し、洗浄ホースの先端に設けた洗浄ノズルから、洗浄ホースを経て供給される水供給源からの洗浄水を、噴射させれば、排水管を洗浄することができる。
【０００８】
そして、本発明に係る洗浄方法では、高層住宅の下層階から上層階まで延びるように配管した案内管自体に、加圧状態の洗浄水を充填せずに、単に、加圧状態の洗浄水を供給可能な洗浄ホースを、挿通させるだけであり、その案内管自体やその継手部分、あるいは、取入口や取出口に、耐圧性を考慮した構成を採用しなくともよく、養生等に厳密な注意を払うことなく、容易に、取入口や取出口を設けた案内管を配管することができる。
【０００９】
勿論、洗浄ホース自体には、使用時、洗浄水の圧力が加わるものの、仮に、洗浄ホースに水漏れ部位が発生しても、洗浄ホース全体を取り換えたり、あるいは、部分的に修理や交換が可能であれば、その部分の修理や交換を行えばよい。そして、洗浄ホースは、非使用時、取入口近傍に巻く等して、案内管から取り出した状態で待機させておくことから、容易に、交換や修理を行うことができる。
【００１０】
したがって、本発明に係る高層住宅の排水管の洗浄方法は、簡便に行えて、メンテナンスも容易となる。
【００１１】
そして、本発明に係る高層住宅の排水管の洗浄方法では、案内管の上端付近に、開閉操作可能として、洗浄ホースの引き上げ時に使用する牽引装置のワイヤを案内管内に挿入可能な引上用開口を、配設させることが望ましい。このような構成では、案内管内において、取入口から所定の取出口まで洗浄ホースの先端側を引き上げる際、案内管の引上用開口から牽引装置のワイヤを垂らし、そのワイヤの下端に洗浄ホースの先端側を接続させて、牽引装置を作動させてワイヤを引き上げれば、洗浄ホースの先端側を、容易に、所定の取出口まで引き上げることができて、洗浄ホースの先端側の取り回しが容易となる。
【００１２】
さらに、本発明に係る高層住宅の排水管の洗浄方法では、取出口と取入口とを設けた案内管を、高層住宅に複数並設させてもよい。このような構成では、高層住宅が、複数本の排水管（特に排水立て管）を配管させている場合、洗浄する排水立て管の近傍に配管された案内管の取入口から洗浄ホースを挿入させて、その案内管の近傍の排水立て管を洗浄することができて、その洗浄階での洗浄ホースの取り回しを簡便に行うことができる。また、水供給源がポンプ車からなる場合、そのポンプ車が、駐車車両等に邪魔される事態となっても、駐車できる側にポンプ車を待機させ、そのポンプ車に近い案内管を利用して、円滑に、洗浄作業を行うことができる。
【００１３】
また、案内管には、内部に溜まった水を排出可能なドレン用開口を設けておけば、洗浄ホースから洗浄水が漏れて溜まったとしても、ドレン用開口から、溜まった貯留水を排水できて、乾燥させた状態で奇麗に案内管を利用することができる。
【００１４】
さらに、取出口は、案内管における複数階毎（２階〜４階毎、４〜１０階毎等）に、配設してもよいが、各階に設ければ、洗浄階自体に配置された取出口から洗浄ホースを取り出して、洗浄作業を行えることから、取出口から洗浄ノズルまでホース部分の長さを短くでき、そのホース部分の取り回しが容易となる。
【００１５】
さらにまた、案内管は、高層住宅の屋外側に、配設してもよく、この場合には、高層住宅の外壁部位に、案内管の各取出口に対応させて、洗浄ホースの先端側を高層住宅内に取り込み可能な取込用開口を、設ければよい。
【００１６】
なお、案内管や取入口付近に配置する洗浄ホースは、屋外のみならず、屋内の場合にも、既設の高層住宅に、後付けで配設してもよい。
【図面の簡単な説明】
【００１７】
【図１】本発明の一実施形態の洗浄方法を説明する概略縦断面図である。
【図２】実施形態の洗浄方法を説明する所定階の概略平面図である。
【図３】実施形態の洗浄方法を説明する概略縦断面図である。
【図４】実施形態の洗浄時の洗浄ホースを取出口から取り出す状態を説明する図である。
【図５】実施形態の洗浄方法の具体的な状態を説明する図である。
【図６】実施形態の変形例を説明する概略縦断面図である。
【発明を実施するための形態】
【００１８】
以下、本発明の一実施形態を図面に基づいて説明すると、図１〜５に示すように、実施形態の洗浄方法を実施する高層住宅Ｂには、複数の排水管１の立て管２が最下階から屋上階まで延びるように、並設されて配管されている。さらに、案内管２１が、センターコア形の建物の周囲における二箇所の位置に、排水管１の立て管２と同様に、高層住宅Ｂの最下階から屋上階まで延びるように、並設されて配管されている。
【００１９】
各案内管２１（２１Ａ）は、洗浄ホース１１（外径２０〜３０ｍｍ程度）を挿通可能な呼び径（例えば５０，８０，１００等）の鋼管や耐火性を有した合成樹脂製の管材から形成されている。そして、各案内管２１には、高層住宅Ｂの複数の階に、開閉操作可能な蓋体２３を開けて、案内管２１内に挿通させる洗浄ホース１１を取出可能な取出口２２が設けられている。実施形態の場合、高層住宅Ｂの各階に対応して、取出口２２が設けられている。また、各案内管２１には、高層住宅Ｂの最下層付近、図例では１階ＧＦ付近に、開閉操作可能な蓋体２６を開けて、案内管２１内に洗浄ホース１１を挿入可能な取入口２５が設けられている。
【００２０】
なお、実施形態の場合、蓋体２３，２６は、プラグタイプ（ねじ込み式）としているが、開閉可能であれば、ボルト止め等によって、取出口２２や取入口２５に組み付けてもよい。
【００２１】
また、実施形態の場合、各案内管２１の下端２１ｂ側には、開閉弁３２を設けたドレン用開口３１が配設され、開閉弁３２の開弁時、案内管２１に溜まった水をドレン用開口３１から図示しない排水横主管等に排水可能としている。
【００２２】
さらに、各案内管２１には、屋上階ＴＦに延びた上端２１ａ側に、蓋体２９を開けて開口させる引上用開口２８が設けられている。なお、この蓋体２９も、蓋体２３，２６と同様に、プラグタイプ（ねじ込み式）としているが、開閉可能であれば、ボルト止め等によって、引上用開口２８に組み付けてもよい。
【００２３】
そして、屋上階ＴＦにおける引上用開口２８付近には、牽引装置としてのウインチ３４が、配設されている。このウインチ３４は、ワイヤ３５を、開口させた引上用開口２８から案内管２１内に挿入させて、ワイヤ３５の下端の接続部３５ａ（図４参照）に洗浄ホース１１の先端１１ｂ側を接続させた後、作動させて、洗浄ホース１１の先端１１ｂ側を引き上げるものである。
【００２４】
また、取入口２５付近の最下層ＧＦ付近には、ホースリール１０に巻き取られた洗浄ホース１１が配置されている。この洗浄ホース１１は、可撓性を有するとともに、洗浄水を供給可能な水供給源としてのポンプ車６から供給される１５〜３０ＭＰａ（実施形態では２５ＭＰａ）の圧力の洗浄水Ｗを、元部端１１ａから先端１１ｂまで送給可能に、構成されている。洗浄ホース１１には、元部端１１ａに、ポンプ車６の給水口７の接続口部８に接続可能な接続口部１２が配設され、先端１１ｂに、接続ホース１６の元部側の接続口部１７と接続可能な接続口部１３が配設されている（図３，４参照）。
【００２５】
なお、ホースリール１０やウインチ３４には、地上ＧＬや屋上階ＴＦでの移動が容易なように、回動自在な車輪１０ａ，３４ａが下面側に配設されている。
【００２６】
洗浄ホース１１の先端１１ｂに接続される接続ホース１６には、接続口部１３と接続可能な接続口部１７が設けられ、先端に、洗浄ノズル１９が取り付けられている。また、接続ホース１６には、開閉弁１８が設けられている（図４参照）。
【００２７】
そして、接続される接続口部８，１２相互と接続口部１３，１７相互とは、それぞれ、接続解除時の液漏れ防止用の弁機構を内蔵させたホースカップリングから構成されている。
【００２８】
実施形態の洗浄方法について説明すると、図３に示すように、排水立て管２を洗浄しようとする洗浄階ＳＦにおいて、その洗浄階ＳＦに案内管２１の取出口２２が配置されていることから、蓋体２３を外して、その取出口２２を開口させる。と同時に、取入口２５付近の最下層ＧＦに配置させた洗浄ホース１１の元部端１１ａ側を、地上ＧＬに待機しているポンプ車６の接続口部８に接続させる。また、最下層ＧＦに配置させた洗浄ホース１１の先端１１ｂ側を、蓋体２６を外して開口させた取入口２５から、案内管２１内に挿入させる。
【００２９】
この時、案内管２１の上端２１ａ側の引上用開口２８を開口させて、ウインチ３４のワイヤ３５を、案内管２１内に垂らして、接続部３５ａを洗浄ホース１１の先端１１ｂ側の接続口部１３付近に締結しておく。また、図４のＡに示すように、取出口２２には、ワイヤ３５を挿通可能なスリット３８を備えて接続口部１３を下面３７ａ側で受け止め可能な受け治具３７を挿入させ、スリット３８にワイヤ３５を挿通させておく。そして、ワイヤ３５を牽引するようにウインチ３４を作動させて、ワイヤ３５とともに接続口部１３を引き上げ、図４のＢに示すように、受け治具３７の下面３７ａで接続口部１３を受け、その接続口部１３を、取出口２２から取り出すようにすれば、簡便に、接続口部１３を設けた洗浄ホース１１の先端１１ｂ側を、取出口２２から取り出すことができる。そして、図４のＢ，Ｃに示すように、接続口部１３に接続口部１７を結合させて、洗浄ホース１１と接続ホース１６とを接続させる。
【００３０】
その後、ポンプ車６を作動させて、開閉弁１８を開弁させれば、洗浄ホース１１の先端１１ｂ側に連なった洗浄ノズル１９から、洗浄ホース１１と接続ホース１６とを経て供給されるポンプ車６からの洗浄水Ｗを、噴射させることができ、開口させた掃除口４から排水立て管２内に洗浄ノズル１９を挿入させておいて、洗浄ノズル１９から洗浄水Ｗを噴射させれば、排水立て管２を洗浄することができる。
【００３１】
この時、図５のＡに示すように、使用する洗浄ノズル１９は、予め、洗浄予定範囲まで降下させた後、引き上げつつ洗浄作業を行う前方噴射ノズル１９Ｆを使用する前方噴射方式、あるいは、洗浄予定範囲まで上昇させつつ洗浄作業を行う後方噴射ノズル１９Ｂを使用する後方噴射方式、を適宜採用すればよい。
【００３２】
ちなみに、内径寸法の大きな洗浄ホース１１を使用できて、排水立て管２の略全長を一度に洗浄できる場合には、洗浄ノズル１９として前方噴射ノズル１９Ｆを使用し、最上階の掃除口４から排水立て管２内に前方噴射ノズル１９Ｆを挿入させ、最下層ＧＦまで前方噴射ノズル１９Ｆを降ろし、洗浄水Ｗを噴射しながら、前方噴射ノズル１９Ｆと接続ホース１６とを引き上げて、排水立て管２を洗浄してもよい。
【００３３】
さらに、排水横枝管３を洗浄する場合でも、住戸専有部の場合、図５のＢに示すように、住戸に立ち入り、器具から前方噴射ノズル１９Ｆを押し込み、前方噴射ノズル１９Ｆから洗浄水Ｗを噴射し、汚れを下流側に流しつつ、前方噴射ノズル１９Ｆをさらに押し込んで、前方噴射方式で洗浄する。勿論、図５のＣに示すように、排水ヘツダー１ａが共用部に設置される等しているＳＩ住宅であれば、住戸に立ち入らずに、共用部の廊下側（排水ヘツダー１ａを含む）の掃除口１ｂから後方噴射ノズル１９Ｂを挿入させ、後方噴射ノズル１９Ｂの自己推進力を利用して、各種器具に連なる複数の排水横枝管３の洗浄が可能となる。
【００３４】
その後、洗浄階ＳＦを変える場合には、ポンプ車６の作動を停止させて、開閉弁１８を閉弁し、接続口部１７，１３相互の接続を解除する。ついで、次に洗浄する洗浄階ＳＦの取出口２２を、蓋体２３を外して、開口させておき、洗浄ホース１１の先端１１ｂ側を、その開口した取出口２２から取り出すように、ワイヤ３５の接続部３５ａに接続させて、ワイヤ３５を引き上げ、あるいは、降ろしつつ、ウインチ３４を作動させる。そして、既に洗浄を終えた洗浄階ＳＦの取出口２２を、蓋体２３を組み付けて、閉塞する。次いで、新たな洗浄階ＳＦで、接続ホース１６を洗浄ホース１１に接続させ、ポンプ車６を作動させるとともに、開閉弁１８を開弁して、洗浄ノズル１９から噴射される洗浄水Ｗにより、所定の排水管１を洗浄すればよく、そして、上記の作業を繰り返せば、高層住宅Ｂの排水管１の洗浄作業を終了させることができる。
【００３５】
なお、高層住宅Ｂにおける洗浄すべき全て箇所の排水管１の洗浄作業が終了したならば、ポンプ車６の作動を停止させて、開閉弁１８を閉弁し、接続口部１７，１３相互と接続口部８，１２相互とのそれぞれの接続を解除する。そして、ポンプ車６の周囲の排水溝や案内管２１内に、洗浄ホース１１や接続ホース１６内に貯留された洗浄水Ｗを排水して、洗浄ホース１１を、最下層ＧＦに配置させていたホースリール１０に巻き取らせ、蓋体２６を組み付けて、取入口２５を閉塞するとともに、接続ホース１６を、所定の収納場所に収納させておく。そして、最後の洗浄階ＳＦの取出口２２を、蓋体２３を組み付けて、閉塞し、また、開閉弁３２を開弁させて、案内管２１内に溜まった貯留水をドレン用開口３１から排水し、排水後に、開閉弁３２を閉弁しておけばよい。
【００３６】
実施形態の洗浄方法では、高層住宅Ｂの下層階から上層階まで延びるように配管した案内管２１自体に、加圧状態の洗浄水Ｗを充填せずに、単に、加圧状態の洗浄水Ｗを供給可能な洗浄ホース１１を、挿通させるだけであり、その案内管２１自体やその継手部分、あるいは、取入口２５や取出口２２に、耐圧性を考慮した構成を採用しなくともよく、養生等に厳密な注意を払うことなく、容易に、取入口２５や取出口２２を設けた案内管２１を配管することができる。
【００３７】
勿論、洗浄ホース１１自体には、使用時、洗浄水Ｗの圧力が加わるものの、仮に、洗浄ホース１１に水漏れ部位が発生しても、洗浄ホース１１全体を取り換えたり、あるいは、部分的に修理や交換が可能であれば、その部分の修理や交換を行えばよい。そして、洗浄ホース１１は、非使用時、取入口２５近傍の最下層ＧＦに設置したホースリール１０に巻く等して、案内管２１から取り出した状態で待機させておくことから、容易に、交換や修理を行うことができる。
【００３８】
したがって、実施形態の高層住宅Ｂの排水管の洗浄方法は、簡便に行えて、メンテナンスも容易となる。
【００３９】
なお、洗浄ホース１１の先端１１ｂ側には、接続ホース１６を介在させて、洗浄ノズル１９を接続させる構成としたが、接続ホース１６を使用することなく、先端１１ｂ側に、洗浄ノズル１９を取り付けておいて、案内管２１内を挿通させてもよい。
【００４０】
そして、実施形態の高層住宅Ｂの排水管の洗浄方法では、案内管２１の上端２１ａ付近に、開閉操作可能として、洗浄ホース１１の引き上げ時に使用する牽引装置としてのウインチ３４から延びるワイヤ３５を、案内管２１内に挿入可能な引上用開口２８が、配設されている。そのため、実施形態では、案内管２１内において、取入口２５から所定の取出口２２まで洗浄ホース１１の先端１１ｂ側を引き上げる際、案内管２１の引上用開口２８から牽引装置としてのウインチ３４のワイヤ３５を垂らし、そのワイヤ３５の下端の接続部３５ａに洗浄ホースの先端１１ｂ側を接続させて、ウインチ３４を作動させてワイヤ３５を引き上げれば、洗浄ホース１１の先端１１ｂ側を、容易に、所定の取出口２２まで引き上げることができて、洗浄ホース１１の先端１１ｂ側の取り回しが容易となる。
【００４１】
また、実施形態では、取出口２２と取入口２５とを設けた案内管２１を、高層住宅Ｂに複数（図例では２本）並設させている。このような構成では、高層住宅Ｂが、複数本の排水管１（特に排水立て管２）を配管させている場合、洗浄する排水立て管２の近傍に配管された案内管２１の取入口２５から洗浄ホース１１を挿入させて、その案内管２１の近傍の排水立て管２を洗浄することができて、その洗浄階ＳＦでの洗浄ホース１１の取り回しを簡便に行うことができる。また、加圧した洗浄水Ｗを供給する水供給源としてのポンプ車６が、駐車車両等に邪魔される事態となっても、駐車できる側にポンプ車６（図１の二点鎖線参照）を待機させ、そのポンプ車６に近い案内管２１Ａを利用して、円滑に、洗浄作業を行うことができる。
【００４２】
また、実施形態では、案内管２１に、内部に溜まった貯留水を排出可能なドレン用開口３１が設けられている。そのため、洗浄ホース１１から洗浄水Ｗが漏れたとしても、ドレン用開口３１から、漏れた貯留水を排水できて、乾燥させた状態で奇麗に案内管２１を利用することができる。
【００４３】
さらに、取出口２２は、案内管２１における複数階毎（２階〜４階毎、４〜１０階毎等）に、配設してもよいが、実施形態のように、各階に設ければ、洗浄階ＳＦ自体に配置された取出口２２から洗浄ホース１１を取り出して、洗浄作業を行えることから、取出口２２から洗浄ノズル１９までホース部分（接続ホース）１６の長さを短くでき、そのホース部分（接続ホース）１６の取り回しが容易となる。
【００４４】
さらにまた、実施形態では、案内管２１を高層住宅Ｂの屋内に配設させた場合を示したが、図６に示すように、案内管２１Ｂは、高層住宅Ｂの屋外側に、配設してもよく、この場合には、高層住宅Ｂの外壁部位ＯＰに、案内管２１Ｂの各取出口２２に対応させて、洗浄ホース１１の先端１１ｂ側を高層住宅Ｂ内に取り込み可能な取込用開口４０を、設ければよい。
【００４５】
なお、案内管２１（２１Ａ），２１Ｂや取入口２５付近に配置する洗浄ホース１１は、屋外のみならず、屋内の場合にも、既設の高層住宅Ｂに、後付けで配設してもよい。
【００４６】
また、図例の場合には、加圧状態の洗浄水Ｗを供給する水供給源として、ポンプ車６を例示したが、図６に示すように、高層住宅Ｂに設けたポンプ装置６Ａを水供給源に利用してもよい。
【符号の説明】
【００４７】
１…排水管、
２…排水立て管、
３…排水横枝管、
６…（水供給源）ポンプ車、
６Ａ…（水供給源）ポンプ装置、
１１…洗浄ホース、
１１ａ…元部端、
１１ｂ…先端、
１９（１９Ｆ，１９Ｂ）…洗浄ノズル、
２１，２１Ａ，２１Ｂ…案内管、
２１ａ…上端、
２１ｂ…下端、
２２…取出口、
２５…取入口、
２８…引上用開口、
３１…ドレン用開口、
３４…（牽引装置）ウインチ、
３５…ワイヤ、
Ｗ…洗浄水、
ＧＦ…最下層、
Ｂ…高層住宅。
【図１】
0005519214.tif 000002
【図２】
0005519214.tif 000003
【図３】
0005519214.tif 000004
【図４】
0005519214.tif 000005
【図５】
0005519214.tif 000006
【図６】
0005519214.tif 000007